【事件の表示】
　平成　９年特許願第５１５６９７号「記録媒体の記録及び／又は再生装置並びに記録媒体の記録及び／又は再生方法」拒絶査定不服審判事件〔平成　９年　４月２４日国際公開、ＷＯ９７／１５０５２〕について、次のとおり審決する。
【結　論】
　本件審判の請求は、成り立たない。
【理　由】
１．手続の経緯
　
　本願は、１９９６年１０月２１日（優先権主張１９９５年１０月２０日、日本国）を国際出願日とする出願であって、平成１８年７月３日付けで拒絶査定がなされ、平成１８年８月１０日付けで拒絶査定不服審判が請求されるとともに、平成１８年９月１１日付け手続補正書により補正された、その請求項１乃至１０に係る発明は、明細書の特許請求の範囲の記載からみて、本願特許請求の範囲の請求項１乃至１０に記載されたとおりのものであるところ、その請求項１に係る発明（以下「本願発明」という。）は次のとおりのものである。
　
「【請求項１】
　データの記録又は再生が行われるデータ記録領域と上記データ記録領域に記録されているデータの管理データが記録される管理領域とを有する記録媒体に対してデータの記録及び／又はデータの読み出しを行うヘッド手段と、
　記録媒体の再生時には上記ヘッド手段によって記録媒体から読み出されたデータを記憶するとともに記録媒体の記録時には上記ヘッド手段に供給される記録データを記憶する第１の記憶領域と、記録媒体から読み出された上記管理データを記憶する第２の記憶領域と、上記第２の記憶領域から転送される管理データを記憶する第３の記憶領域とを備える第１の記憶手段と、
　記録媒体から読み出された管理データを記憶する第２の記憶手段と、
　上記第１の記憶手段の第２の記憶領域に記憶された管理データに基づいて上記ヘッド手段を制御して記録媒体に対して記録若しくは再生動作を行わせる制御手段とを備え、
　上記制御手段は、
　記録媒体へのデータ記録時には記録するデータを上記第１の記憶領域に蓄えた後に上記ヘッド手段に供給するとともに記録動作を行わせ、
　記録媒体からデータを再生するときには上記ヘッド手段によって読み出されたデータを上記第１の記憶領域に記憶させ、
　上記管理データの編集時には上記第２の記憶領域に記憶されている上記管理データを上記第３の記憶領域に転送し、上記第３の記憶領域に記憶される上記管理データに基づいて記録媒体のデータ記録領域に記録されているデータの編集動作を行うとともに上記第３の記憶領域に記憶されている管理データの更新を行い、
　上記管理データの編集の正常終了時には上記第３の記録領域に記憶されている上記更新が行われた管理データを上記第２の記録領域へと移すことで上記第２の記憶領域に記憶されている管理データの更新を行い、
　上記編集動作を取消す取消動作時には上記第２の記憶手段に記憶されている管理データを上記第１の記憶手段の第２の記憶領域に転送するようにした記録及び／又は再生装置。」
　
２．引用例
　
　原査定の拒絶の理由に引用された特開平７−１９２４３６号公報（以下「引用例」という。）には、図面と共に、以下の記載がある。なお、下線は、当審で付与した。
　
（１）「【０００１】
【産業上の利用分野】本発明は、ミニディスクレコーダに関するものである。
【０００２】
【従来の技術】デジタル信号を記録、再生する情報記録担体やその装置は、小型化や記録再生時間の拡大等を目指して、新しいシステムの開発が行われている。例えば、カートリッジに収納された直径６４ｍｍのディスク（以下ミニディスクと呼ぶ）でサイズの小型化を図り、音声データの圧縮によりコンパクトディスク並みの記録再生時間を得、半導体メモリをデータバッファとして挿入して再生時の耐震動性向上させる等の技術を取り入れた
ディスク記録再生装置（以下ミニディスクレコーダと呼ぶ）
【０００３】（省略）
【０００４】本発明の目的は、ディスクが装着された直後に読取ったＵＴＯＣ内容をディスクがレコーダから離れるまで音声データの圧縮データバッファ用の半導体メモリに保存しておく事を利用して、
編集機能等によりディスク上のＵＴＯＣを更新した後であっても、レコーダにディスクが装着されている間に編集内容の間違いを知った時は、編集以前の状態にＵＴＯＣ内容を戻す事ができるミニディスクレコーダを提供する事にある
　
（２）「【０００７】
【実施例】本発明によるミニディスクレコーダの実施例を図１乃至図２に基づき説明する。図１はハードウェアのブロック図、図２はそのフローチャートである。図中、
ミニディスク１に記録された信号を光ピックアップ２で取込み増幅するＲＦアンプ３、光ピックアップ２をミニディスク１の信号に追従させる為にモータを制御するサーボ回路４、ピックアップをディスクの半径方向に送ったり戻したりする為のスライドモータ５、ミニディスク１の回転を制御するスピンドルモータ６、音声を記録する前からディスクに記録されているアドレスを読取るアドレスレコーダ７、ディスクに記録されてるＥＦＭ信号のＡＣＩＲＣを解いてミニディスク１のアドレスをデコードするＥＦＭ／ＡＣＩＲＣデコーダ８、半導体メモリのアドレスを管理させる半導体メモリコントロール回路９、圧縮されたデータの圧縮を解く為の音声圧縮デコーダ１０、デジタル信号をアナログ音声信号に変換するＤ／Ａコンバータ１１、入力されたアナログ音声信号をデジタル信号に変換するＡ／Ｄコンバータ１２、データを圧縮する為の音声圧縮エンコーダ１３、半導体メモリ１４は、ミニディスク１より読取ったＵＴＯＣを記憶する為の第１のＲＡＭエリア１４ａ及び第２のＲＡＭエリア１４ｂと音声の圧縮データを記憶する為の第３のＲＡＭエリア１４ｃとから構成されている
【０００８】
圧縮されたデータは、ＡＣＩＲＣを付加してＥＦＭ信号を作るＥＦＭ／ＡＣＩＲＣエンコーダ１５、記録ヘッド１７を駆動させる為のヘッド駆動回路１６を介して、記録磁界を発生させる記録ヘッド１７でミニディスク１に記録される
【０００９】次に、動作を図２に示すフローチャートに基づいて説明する。
ミニディスク１を図示せずともターンテーブルに装着すると（ステップＳ１）、ミニディスク１の録音情報を表示する為に光ピックアップ２は、システムコントロールマイクロコンピュータ２０からサーボ回路４を介して制御されＵＴＯＣを読みに行き（ステップＳ２）、光ピックアップ２で読取ったＵＴＯＣ内容をＲＦアンプ３及びＥＦＭ／ＡＣＩＲＣデコーダ８を介し半導体メモリ１４の第１のＲＡＭエリア１４ａと第２のＲＡＭエリア１４ｂにそれぞれ同じ様に記憶させる（ステップＳ３）。キー入力部１９によりミニディスク１の録音情報を編集する要求があった場合は（ステップＳ４）、キー入力部２による編集指示に従い、第２のＲＡＭエリア１４ｂのＵＴＯＣを変更し（ステップＳ５）、変更した第２のＲＡＭエリア１４ｂのＵＴＯＣ内容をミニディスク１に書込む（ステップＳ６）
【００１０】編集作業が全て終了した後、ミニディスク１を排出する為にキーを押すと、キー入力部１９によりミニディスク１排出の要求が出される（ステップＳ７）。この時、編集が正しく完了しているかどうかをシステムコントロールマイクロマイクロコンピュータ２０で確認し、
編集時に誤って消去すべきでない曲を消去していたのに気づいた場合、キー入力部１９より、編集したミニディスク１を装着時の状態に戻す様に要求を出す（ステップＳ８）と、ミニディスク１装着時に読取ったＵＴＯＣが第１のＲＡＭエリア１４ａに保存されていれば、第１のＲＡＭエリア１４ａのＵＴＯＣをミニディスク１に書き込み（ステップＳ９）消去した曲を新たにディスクに録音することなく、消去した曲を復活させる事ができる
【００１１】この様に、本発明のミニディスクレコーダは、クラスター番号とセクター番号を有し、且つ、
圧縮された音声データがミニディスクの一部の領域について記録可能なミニディスクの録音及び再生を可能にし、且つ、ミニディスクに記録されているＵＴＯＣ内容を変更する事によるミニディスク１上の録音情報の編集を可能にしたミニディスクレコーダ
【００１２】そして、ミニディスク１がレコーダに装着された直後に、読取り手段により読取られたＵＴＯＣ内容を、記憶手段により半導体メモリの第１のＲＡＭエリア１４ａと第２のＲＡＭエリア１４ｂの二つの記憶領域に記憶し、ミニディスク１がレコーダから離れるまで、第１のＲＡＭエリア１４ａの記憶内容を保存しておく事を利用して、読取り手段により読取られたＵＴＯＣの内容を、記憶手段により半導体メモリの第１のＲＡＭエリア１４ａと第２のＲＡＭエリア１４ｂの二つの記憶領域に記憶した後、
変更手段により第２のＲＡＭエリア１４ｂの２つの記憶内容を変更し、記録手段により記録する事により、ミニディスク１上の録音情報の一部がＵＴＯＣ上で変更されてしまった後で、変更手段による変更が間違っていた事を認識した場合、認識手段により変更したＵＴＯＣ内容の取り消し要求が行われた後、記憶手段により記憶され保存されていた第１のＲＡＭエリア１４ａのＵＴＯＣ内容を再び記録手段により記録する事で変更されてしまった後であっても、ミニディスク１上の録音情報の一部を変更前に戻す事ができる
　
　上記摘示事項及び図面を参酌すると、引用例には次の発明が記載されているものと認める。
　
「圧縮された音声データがミニディスクの一部の領域に記録可能なミニディスクの録音（記録）及び再生を可能にし、且つ、ミニディスクに記録されているＵＴＯＣ内容を変更することによるミニディスク上の録音情報の編集を可能にしたミニディスクレコーダ（ディスク記録再生装置）において、
　ミニディスクに記録された信号を取込む光ピックアップと、
　ディスクに記録されているＥＦＭ信号のＡＣＩＲＣを解いてデコードするＥＦＭ／ＡＣＩＲＣデコーダと、
　半導体メモリのアドレスを管理させる半導体メモリコントロール回路と、
　圧縮されたデータの圧縮を解く音声圧縮デコーダと、
　データを圧縮する音声圧縮エンコーダと、
　ミニディスクより読取ったＵＴＯＣを記憶する第１のＲＡＭエリア１４ａ及び第２のＲＡＭエリア１４ｂと音声の圧縮データを記憶する第３のＲＡＭエリア１４ｃとから構成されている半導体メモリ１４と、
　圧縮されたデータにＡＣＩＲＣを付加してＥＦＭ信号を作るＥＦＭ／ＡＣＩＲＣエンコーダと、
　ミニディスクに記録する記録ヘッドと、
　システム全体を制御するシステムコントロールマイクロコンピュータと、
　を備え、
　ミニディスクを装着すると、光ピックアップはＵＴＯＣを読みに行き、読取ったＵＴＯＣ内容を半導体メモリの第１のＲＡＭエリア１４ａと第２のＲＡＭエリア１４ｂにそれぞれ記憶させ、
　編集要求があった場合は、第２のＲＡＭエリア１４ｂのＵＴＯＣを変更し、変更した第２のＲＡＭエリア１４ｂのＵＴＯＣ内容をミニディスクに書込み、
　変更が間違っていたことを認識した場合、変更したＵＴＯＣ内容の取消要求が行われた後、第１のＲＡＭエリア１４ａのＵＴＯＣ内容をミニディスクに書き込み、消去した曲を復活させる
　ミニディスクレコーダ（ディスク記録再生装置）。」
　
３．対比
　
　そこで、本願発明と引用例に記載された発明とを対比する。
（１）引用例に記載された発明における「音声データ」「ＵＴＯＣ内容」「第３のＲＡＭエリア１４ｃ」及び「第２のＲＡＭエリア１４ｂ」は、それぞれ本願発明の「データ」「管理データ」「第１の記憶領域」及び「第２の記憶領域」に相当する。
（２）引用例に記載された発明における「ミニディスク」は、「音声データ」が一部の領域について録音（記録）及び再生を可能にし、且つ、「ＵＴＯＣ内容」が記録されているから、本願発明の「データの記録又は再生が行われるデータ記録領域と上記データ記録領域に記録されているデータの管理データが記録される管理記録領域とを有する」及び「記録媒体」に相当する。
（３）引用例に記載された発明における「光ピックアップ２」及び「記録ヘッド」は、それぞれミニディスクに記録された信号を取り込み、音声データを記録するものであるから、本願発明の「データの記録及び／又はデータの読み出しを行う」及び「ヘッド手段」に相当する。
（４）引用例に記載された発明における「半導体メモリ」は、「ＵＴＯＣを記憶する第２のＲＡＭエリア１４ｂと音声の圧縮データを記憶する第３のＲＡＭエリア１４ｃから構成されて」いるから、本願発明の「記録媒体の再生時には上記ヘッド手段によって記録媒体から読み出されたデータを記憶するとともに記録媒体の記録時には上記ヘッド手段に供給される記録データを記憶する第１の記憶領域と、記録媒体から読み出された上記管理データを記憶する第２の記憶領域とを備える」及び「第１の記憶手段」に相当する。
（５）引用例に記載された発明における「第１のＲＡＭエリア１４ａ」は、ミニディスクより読取ったＵＴＯＣ内容を記憶するものであるから、引用例に記載された発明の「半導体メモリ」は、本願発明の「記録媒体から読み出された管理データを記憶する」及び「記憶手段」に相当している。
（６）引用例に記載された発明における「システムコントロールマイクロコンピュータ」は、音声の圧縮データを第３のＲＡＭエリア１４ｃに記憶させ、編集する要求があった場合、編集指示に従い、第２のＲＡＭエリア１４ｂのＵＴＯＣを変更させるものであるから、本願発明の「記録媒体へのデータ記録時には記録するデータを上記第１の記憶領域に蓄えた後に上記ヘッド手段に供給するとともに記録動作を行わせ、
　記録媒体からデータを再生するときには上記ヘッド手段によって読み出されたデータを上記第１の記憶領域に記憶させ、」「上記管理データの編集時には上記第２の記憶領域に記憶されている上記管理データに基づいて記録媒体のデータ記録領域に記録されているデータの編集動作を行うとともに上記第２の記憶領域に記憶されている管理データの更新を行」う「制御手段」に相当する。
（７）引用例に記載された発明は、「変更が間違っていたことを認識した場合、変更したＵＴＯＣ内容の取消要求が行われた後、」「第１のＲＡＭエリア１４ａのＵＴＯＣ内容をミニディスクに書き込む」ものであるから、本願発明の「上記編集動作を取消す取消動作時には」「上記（第２の）記憶手段に記憶されている管理データを転送する」に相当する構成を備えている。
　　
　そうすると、本願発明と引用例に記載された発明とは、次の点で一致する。
　
＜一致点＞
　
「データの記録又は再生が行われるデータ記録領域と上記データ記録領域に記録されているデータの管理データが記録される管理領域とを有する記録媒体に対してデータの記録及び／又はデータの読み出しを行うヘッド手段と、
　記録媒体の再生時には上記ヘッド手段によって記録媒体から読み出されたデータを記憶するとともに記録媒体の記録時には上記ヘッド手段に供給される記録データを記憶する第１の記憶領域と、記録媒体から読み出された上記管理データを記憶する第２の記憶領域とを備える第１の記憶手段と、
　記録媒体から読み出された管理データを記憶する（第２の）記憶手段と、
　制御手段とを備え、
　上記制御手段は、
　記録媒体へのデータ記録時には記録するデータを上記第１の記憶領域に蓄えた後に上記ヘッド手段に供給するとともに記録動作を行わせ、
　記録媒体からデータを再生するときには上記ヘッド手段によって読み出されたデータを上記第１の記憶領域に記憶させ、
　上記管理データの編集時には上記第２の記憶領域に記憶されている上記管理データに基づいて記録媒体のデータ記録領域に記録されているデータの編集動作を行うとともに上記第２の記憶領域に記憶されている管理データの更新を行い、
　上記編集動作を取消す取消動作時には上記（第２の）記憶手段に記憶されている管理データを転送するようにした記録及び／又は再生装置。」の点。
　
　そして、次の各点で相違する。
　　
＜相違点＞
　
（ａ）本願発明は、記録媒体から読み出された管理データを記憶する記憶手段が「第２の記憶手段」とされているのに対し、引用例に記載された発明は、記憶手段が「第２の記憶手段」であることは特定されていない点。
　
（ｂ）「第１の記憶手段」について、本願発明は、さらに、第２の記憶領域から転送される管理情報を記憶する「第３の記憶領域」を備えるのに対し、引用例に記載された発明は、そのような領域を備えていない点。
　
（ｃ）「制御手段」について、本願発明は、「第１の記憶手段の第２の記憶領域に記憶された管理データに基づいてヘッド手段を制御して記録媒体に対して記録若しくは再生動作を行わせる」のに対し、引用例に記載された発明は、そのような事項について特定されていない点。
　
（ｄ）「編集」について、本願発明は、「第２の記憶領域に記憶されている上記管理データを上記第３の記憶領域に転送し、上記第３の記憶領域に記憶される上記管理データに基づいて記録媒体のデータ領域に記録されているデータの編集動作を行うとともに上記第３の記憶領域に記憶されている管理データの更新を行い、」「上記管理データの編集の正常終了時には上記第３の記憶領域に記憶されている上記更新が行われた管理データを上記第２の記憶領域へと移すことで」上記第２の記憶領域に記憶されている管理データの更新を行うのに対し、引用例に記載された発明は、「第２のＲＡＭエリア１４ｂ」（第２の記憶領域）のＵＴＯＣ内容（管理データ）を変更する点。
　
（ｅ）「取消動作」について、本願発明は、「上記第２の記憶手段に記憶されている管理データを上記第１の記憶手段の最２の記憶領域」に転送するのに対し、引用例に記載された発明は、「第１のＲＡＭエリア１４ａ」（第２の記憶領域）のＵＴＯＣ内容（管理データ）をミニディスク（記録媒体）に書き込む（転送する）点。
　
４．判断
　
　そこで、上記相違点について検討する。
（相違点ａについて）
　記憶手段の使用形態を、記憶情報に応じた個別の記憶手段とするか、領域分割した記憶手段とするかは、記憶手段の容量等を勘案して適宜なし得る設計的事項であるから、引用例に記載された発明においても、管理データを記憶する記憶手段として（第１の記憶手段とは別の）「第２の記憶手段」を設ける構成とすることは、当業者が適宜容易になし得るものある。
　
（相違点ｂについて）
　ディスクのＴＯＣデータ（管理データ）の変更や消去が可能なディスク記録再生装置において、ＴＯＣデータ記憶用ＲＡＭに記憶された内容を変更する際に、作業データ記憶用ＲＡＭを用いることは、原審の拒絶査定で例示された特開平６−１７６５５１号公報等で周知（段落【００２０】等参照）である。また、上記相違点ａで検討したように記憶手段の種々の使用形態は、適宜になし得る設計的事項であることも勘案すると、引用例に記載された発明において、第２のＲＡＭエリア１４ｂ（第２の記憶領域）から転送されるＵＴＯＣ内容（管理データ）を記憶する作業用記憶領域を備えるようにして、本願発明の相違点ｂの構成とすることは、当業者が容易になし得るものある。
　
（相違点ｃについて）
　データがＴＯＣ情報（管理データ）等のインデックス情報で管理された記録媒体を用い、上記インデックス情報を読み出し、記憶手段に記憶させ、この記憶手段に記憶されたインデックス情報を基にデータの再生、記録、編集の制御を行う情報記録再生装置は、原査定の拒絶の理由で引用された特開平６−２４３６５７号公報（【従来の技術】の欄）等で周知である。
　そうすると、引用例に記載された発明においても、半導体メモリ（第１の記憶手段）の第２のＲＡＭエリア１４ｂ（第２の記憶領域）に記憶されたＵＴＯＣ内容（管理データ）に基づいてヘッド手段を制御してミニディスク（記録媒体）に対して記録若しくは再生動作を行わせることは、当業者が適宜容易になし得るものある。
　
（相違点ｄについて）
　上記相違点ｂで検討したように、管理データを記憶する記憶領域とは別に編集のための作業用記憶領域を備えることは当業者が適宜になし得るものであり、作業用記憶領域を用いて編集動作を行うに際して、記憶領域に記憶されている管理データを上記作業用の記憶領域に転送し、上記作業用の記憶領域に記憶される管理データに基づいて記録媒体のデータ領域に記録されているデータの編集を行い、上記作業用の記憶領域に記憶されている管理データの更新を行うようにすることは自明のことであり、その際に、編集が正常に終了したときに、編集動作を完了するようにすることも当然考慮すべき事項といえるから、編集動作として、本願発明の相違点ｄのように、「第２の記憶領域に記憶されている上記管理データを上記第３の記憶領域に転送し、上記第３の記憶領域に記憶される上記管理データに基づいて記録媒体のデータ領域に記録されているデータの編集動作を行うとともに上記第３の記憶領域に記憶されている管理データの更新を行い、」「上記管理データの編集の正常終了時には上記第３の記憶領域に記憶されている上記更新が行われた管理データを上記第２の記憶領域へと移すことで上記第２の記憶領域に記憶されている管理データの更新を行」うことは、当業者が容易になし得るものである。
　
（相違点ｅについて）
　データの分割、連結、消去等の編集を記憶手段に記憶されたインデックス情報（管理データ）を基に行い、その編集結果に応じたインデックス情報に記録媒体および記憶手段に記録または記憶されたインデックス情報を書き換える、換言すれば、記録媒体に記録されたデータを管理するための管理データを記録媒体及び記憶手段に記憶することは、原査定の拒絶の理由で引用された特開平６−２４３６５７号公報（【従来の技術】【０００３】の欄）等で周知である。
　そうすると、引用例に記載された発明において、編集動作を取消す取消動作時に、ミニディスク（記録媒体）に記録されたデータを管理するＴＯＣ内容（管理データ）について、「第１のＲＡＭエリア１４ａ」に記憶されているＵＴＯＣ内容（管理データ）を、ミニディスク（記録媒体）に書き込む（転送する）構成に代えて「第２のＲＡＭエリア１４ｂ」（第２の記憶領域）に転送するようにして、本願発明の相違点ｅの構成とすることは、当業者が容易になし得るものである。
　
　なお、審判請求人は、審判請求の理由で「本件出願に係る発明の特徴ある構成は、請求項１、５、９に記載からも明らかなように、記録データを記憶する第１の記憶領域と、記録媒体から読み出された管理データを記憶する第２の記憶領域と、第２の記憶領域から転送される管理データを記憶する第３の記憶領域とを有する第１の記憶手段を用い、……編集動作を取消す取消動作時には第２の記憶手段に記憶されている管理データを第１の記憶手段の第２の記憶領域に転送するようにした点に特徴を有するものである。
　このように、本件出願に係る発明は、記録媒体に記憶される管理データの編集の際に、数回の編集動作が行われた後に編集された管理データが記録媒体へ記録される場合に、一回の編集動作毎に編集動作前の管理データを第１の記憶手段の第２の記憶領域に記憶した後、第３の記憶領域の管理データを用いて編集を行うので、編集動作終了前に編集動作を止めた場合には編集前の管理データを復元することができ、数回の編集動作が終了した後でも、第２の記憶手段に記憶した管理データを読み出すことで、元々の編集前の管理データを読み出すことができる。また、第２の記憶手段に元々の編集前の管理データを記憶しているので、記録媒体に編集した後の管理データを記録してしまった後でも、編集前の管理データを復元することができる。」（「３−２．本願発明」参照）、また、「ところで、原審において、審査官は、本件出願に係る発明の特徴は、第１の記憶手段を３つの記憶領域に分けて、第２の記憶領域に保持された管理データを第３の記憶領域で更新する点であるかの如き指摘をされている。しかし、本件出願に係る発明の特徴ある構成は、上述した本件出願に係る発明の説明からも明らかなように、第１の記憶手段を３つの記憶領域に分けて、第２の記憶領域に保持された管理データを第３の記憶領域で更新する上に、さらに、「第２の記憶手段にも管理データを保持しておく」点にあります。このように、管理データを第２の記憶領域にも保持しておくことにより、例えばディスク上に更新した管理データを記録してしまった後に、管理データを元の管理データに戻したい場合などに有効である。……しかし、本件出願に係る発明のように、第２の記憶手段にも管理データを保持しておくことで、更新された管理データをディスクに記録してしまった場合にも、第２の記憶手段から元々の管理データを読み出すことで、管理データを元々の管理データに戻すことが可能になる。」（「３−３．引用文献記載の発明との対比」参照）旨主張している。
　そこで、上記主張について検討する。
　本願明細書の【発明の詳細な説明】（２３頁１４行〜２７頁４行）には、編集動作の説明として、次のような記載がある。（なお、下線は、当審で付与した。）
「次に、光ディスク１に記録されている音楽データや音声データ等のデータのデータの編集動作を説明する。
　この編集動作では、データの消去、１つのデータを複数のデータに分割する分割処理、２つ以上のデータを１つのデータに連結する処理、データの移動及びデータへのタイトル付加や変更等の処理を行うものである。　…（中略）…　その後、ステップＳ４で、システム制御回路９は、１つの編集動作、例えば上述したデータの消去動作が正常に終了したか否かの判別を行う。これにより、１つの編集動作が正常に終了したと判別された場合には、ステップＳ５に進んで、システム制御回路９によりメモリ制御回路１０が制御されて、ＲＡＭ１１のワークデータ記憶領域５３上で変更されたＴＯＣデータがＴＯＣデータ記憶領域５２に移されて記憶される。具体的には、メモリ制御回路１０は、ＲＡＭ１１のＴＯＣデータ記憶領域５２に、例えば曲ナンバー、記録開始アドレス、記録終了アドレス等が消去されたＴＯＣデータを記憶する。また、このとき、システム制御回路９によりエンコーダ／デコーダ６等が制御され、変更されたＴＯＣデータが光ディスク１の記録再生領域ＲＲの管理データ記録領域ＲＴ２に記録される。
このように、変更されたＴＯＣデータが光ディスク１に記録されることによって１つの編集動作が行われる
　上記記載事項から、編集動作としては、変更されたＴＯＣデータが光ディスク１の記録再生領域ＲＲの「管理データ記録領域ＲＴ２」に記録されることによって「１つの編集動作」が行われるものが記載されているのみであり、記録媒体に記憶されている管理データの編集の際に、「数回の編集動作が行われた後に編集された管理データが記録媒体へ記録される場合に、」「一回の編集動作毎に編集動作前の管理データを第１の記憶手段の第２の記憶領域に記憶した後」、「第３の記憶領域の管理データを用いて編集を行う」ことは記載されていないし、示唆もなされていない。
　また、第１の記憶手段を３つの記憶領域に分けて、第２の記憶領域に保持された管理データを第３の記憶領域で更新すること、及び第２の記憶手段にも管理データを保持しておくことは、上記相違点で検討したように当業者が容易になし得るものであり、さらに、更新された管理データをディスクに記録してしまった場合にも、管理データを元の管理データに戻すことできることは、引用例に記載された発明も同様であり、本願発明に基づく特有の効果とはいえない。
　よって、上記審判請求人の主張を採用することができない。
　
　そして、上記各相違点についての判断を総合しても本願発明の奏する効果は、引用例及び周知技術から当業者が十分に予測できたものであって、格別なものとはいえない。
　
５．むすび
　
　以上のとおり、本願の請求項１に係る発明は、引用例に記載された発明、及び周知技術に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。